(57)【特許請求の範囲】
【請求項１】
天井面に取り付けられる平面部を有する本体と、本体の平面部の下面に接するように取り付けられる中央平面部を有する反射体とを具備し、本体の平面部の下面の周辺に蛍光ランプ用のソケット及び安定器等の機器が配置され、一方反射体の周辺部は本体のこれら機器と当接しないように下方に膨らんでいると共にソケットが突出する穴を有しており、上記本体の平面部の周辺は下方に折曲げられ、その四隅部分だけが反射体に接するまで下方に伸び他の部分は切り欠かれた状態になされると共に、本体の平面部の四隅部分を結ぶ対角線上の四隅部分に近い箇所に反射体とは反対側に突出している凸部が設けられ、本体及び反射体を天井に取り付ける際に、反射体が本体の四隅部分を押し上げることにより天井面と接する凸部を支点にして本体の平面部の本体の中央部分が押し下げられ、本体の平面部の上面側と天井面との間に隙間が本体の全体に亙って均一に確保されることを特徴とする照明装置。
【発明の詳細な説明】
【０００１】
【発明の属する技術分野】
本発明は照明装置、ことに天井面に取り付けられる照明装置に関する。
【０００２】
【従来の技術】
天井面に直に取り付けたり、天井面に部分的に埋め込まれるタイプの方形の照明装置としては、例えば図３のような照明装置があり、この照明装置は、方形の本体１と、この本体に下方から装着される方形の反射体２とを具備する。本体１は一方の辺に沿って４つのソケット３を有し、この辺と直交する両側の辺に沿って２灯用の安定器４がそれぞれ配置されている。本体１はその中央部に３つの取付穴５を有し、天井から垂下する２本ないし３本のスタッドボルト（図示せず）の下端をこの取付穴に通してナットで締め付けることにより本体１が天井に固定される。
【０００３】
一方、反射体２は、周囲が下方に膨らみ、中央の平な面２ａが，本体１の平な面１ａと接するようになされている。周囲の下方に膨らんだ部分のうち、向かい合う２つの面２ｂは傾斜し、向かい合う２つの面２ｃは垂直になされている。一方の垂直面２ｃには、本体１のソケット３に相応するソケット穴６が設けられ、これと対向する垂直面側の平な面２ａ上にはランプホルダ７が配置されている。また中央の平な面２ａには、本体１の取付穴５に相応する箇所に角穴５ａが設けられている。
【０００４】
反射体２は、複数箇所に設けられた孔８と、これらに相応する本体１の孔９を用いてビス１０（図４）でビス止めすることにより本体１に固定される。反射体２が本体１に固定された後、ソケット３にコンパクト形の蛍光ランプ１１を装着し、蛍光ランプ１１の先端部をランプホルダ７に係止する。その後、バッフル１２を、その係合部１２ａを反射体２の係合穴１２ｂに係合することにより反射体２に取り付ける。
【０００５】
図４のように安定器４は、ビス１３により本体１に固定され、また反射体２はビス１０により本体１に固定される。ビス１３やビス１０が天井面１４に当たらないように、本体１の裏面には凸部１５が設けられ、本体１の裏面と天井面１４との間に隙間１６が確保されるようにされている。
【０００６】
【発明が解決しようとする課題】
しかしながら、安定器４はかなり重量があり、また本体１自体も大型になるとかなり重量があるので、本体１の裏面と天井面１４との間の隙間１６が、ことに本体１の周辺部で大きくなり、体裁が悪くなるという欠点がある。また本体の周辺部が下がるので、凸部１５を支点として本体１の中央が押し上げられ、中央付近で天井面１４との間の隙間が狭くなってしまう。
【０００７】
このため、本体１を構成している金属板材を厚くして剛性を高める場合があるが、そうすると本体１が重くなり、取り付け作業が大変となる。また図５のように本体１の周辺部１ｂを全周にわたって長く下方に伸ばして、反射体２と接するようにして、反射体２により押し上げるようにする場合もあるが、こうすると本体がそれだけ重くなり、しかも本体１と反射体２との間の隙間が塞がれて、本体１に取り付けられた安定器４等の電子部品からの熱の放熱が悪くなり、それらの寿命にも悪影響を与えることになる。
【０００８】
本発明は、本体を軽量に保ちつつ、放熱効果を有し、本体の周辺における天井面との間の隙間の広がりを防止できる、照明装置を提供することを目的としている。
【０００９】
【課題を解決するための手段】
本発明の照明装置は、天井面に取り付けられる平面部を有する本体と、本体の平面部の下面に接するように取り付けられる中央平面部を有する反射体とを具備し、本体の平面部の下面の周辺に蛍光ランプ用のソケット及び安定器等の機器が配置され、一方反射体の周辺部は本体のこれら機器と当接しないように下方に膨らんでいると共にソケットが突出する穴を有しており、上記本体の平面部の周辺は下方に折曲げられ、その四隅部分だけが反射体に接するまで下方に伸び他の部分は切り欠かれた状態になされると共に、本体の平面部の四隅部分を結ぶ対角線上の四隅部分に近い箇所に反射体とは反対側に突出している凸部が設けられ、本体及び反射体を天井に取り付ける際に、反射体が本体の四隅部分を押し上げることにより天井面と接する凸部を支点にして本体の平面部の本体の中央部分が押し下げられ、本体の平面部の上面側と天井面との間に隙間が本体の全体に亙って均一に確保されることを特徴とする。
【００１０】
【発明の実施の形態】
図１のように本発明の照明装置は、金属製の方形の本体２１と、この本体に下方から装着される金属製の方形の反射体２２とを具備する。本体２１の平面部２１ａの下面に於いてその一方の辺に沿って４つのソケット２３が配置され、この辺と対向する辺に沿って４灯用の安定器２４が配置されている。本体２１はその平面部２１ａの中央付近に３つの取付穴２５を有し、天井から垂下する２本ないし３本のスタッドボルト（図示せず）の下端をこの取付穴２５に通してナットで締め付けることにより本体２１が天井に固定される。
【００１１】
本体２１の周辺２１ｂは下方に折れ曲がり、その四隅部分２１ｃだけが、図２のように反射体２２を装着した際に反射体２２と接するまで伸びているか、それより少し例えば１ｍｍぐらいさらに長くなされている。四隅部分以外の部分は切り欠かれているような状態になされている。
【００１２】
一方、反射体２２は例えば白色に塗装され、周辺部が本体２１の安定器２４などとぶつからないように下方に膨らみ、中央平面部２２ａが、本体２１の平面部２１ａと接するようになされている。下方に膨らんだ周辺部のうち、向かい合う２つの面２２ｂは傾斜面になされていて配光を制御しており、向かい合う２つの面２２ｃは垂直面になされている。垂直面２２ｃの一方には、本体１に配置されたソケット２３に相応する大きさのソケット穴２６が設けられ、これと対向する垂直面側の中央平面部２２ａにはランプホルダ２７が配置されている。また中央平面部２２ａの中央の、本体２１の穴２５に相応する箇所に角穴２５ａが設けられている。
【００１３】
反射体２２は、複数箇所、ここでは７か所に設けられた孔２８と、これらに相応する本体２１の孔２９を用いてビス３０（図２）でビス止めすることにより本体２１に固定される。反射体２２が本体１に固定された後、ソケット２３にコンパクト形の蛍光ランプ（図示せず）を装着し、蛍光ランプの先端部をランプホルダ２７に係止する。その後、従来例と同じようなバッフルを、その係合部を反射体２２の係合穴３１に係合することにより反射体２２に取り付ける。
【００１４】
図２のように安定器２４は、ビス３２により本体２１に固定され、また反射体２２はビス３０により本体１に固定される。ビス３２やビス３０が天井面３３に当接しないように、本体２１の裏面の四隅部分２１ｃ近くの、例えば四隅部分２１ｃの角を結ぶ対角線上に凸部３４が設けられている。
【００１５】
反射体２２が本体２１に取り付けられ、反射体２２が本体２１の四隅部分２１ｃを押し上げると、凸部３４を支点にして本体２１の平面部２１ａの中央が押し下げられ、本体２１の平面部２１ａの上面側と天井面３３との間に隙間３５が本体２１の全体に亙って均一に確保される。
【００１６】
【発明の効果】
本発明の照明装置では、本体の折曲げられた周辺のうち四隅部分が反射体に接するまで下方に伸び、反射体を本体に取り付けたときに反射体が本体の四隅部分を押し上げ、これにより本体の全周辺が押し上げられるので、本体と天井面との間の隙間が特に周辺で大きくなるのを防止できる。
【００１７】
また、本体の折曲げられた周辺のうち四隅部分だけが反射体に接するまで下方に伸び、その他の周辺は反射体に接するまで伸びず、切り欠かれた状態になっているので、その分だけ本体を軽量にでき、軽量のために天井面への取り付け作業がし易く、また材料の少ない分だけ製造コストも低減できる。
【００１８】
さらに、本体の折曲げられた周辺のうち四隅部分だけが反射体に接するまで下方に伸び、その他の周辺は反射体に接するまで伸びず、切り欠かれた状態になっているので、放熱効果が良くなり本体に配置されている安定器等の電子部品の寿命が長くなる。
【００１９】
また、本体の平面部の四隅に近い箇所に天井面側に突出している凸部が設けられているので、反射体が本体に取り付けられ反射体が本体の四隅部分を押し上げたときに、凸部が支点となって本体の平面部の中央付近が下がり、本体の平面部全体において天井面との間に隙間が均一に確保される。
【図面の簡単な説明】
【図１】本発明の照明装置の本体及び反射体部分の分解図。
【図２】本体に反射体を取り付けた時の部分的断面図。
【図３】従来の照明装置の分解図。
【図４】従来の照明装置の本体に反射体を取り付けた時の部分的断面図。
【図５】従来の別の照明装置の本体に反射体を取り付けた時の部分的断面図。
【符号の説明】
２１  本体
２１ａ  平面部
２１ｂ  周辺
２１ｃ  四隅部分
２２  反射体
２２ａ  中央平面部
２２ｂ  面（傾斜面）
２２ｃ  面（垂直面）
２３  ソケット
２４  安定器
２５  取付穴
２５ａ  角穴
２６  ソケット穴
２７  ランプホルダ
２８  孔
２９  孔
３０  ビス
３１  係合穴
３２  ビス
３３  天井面
３４  凸部
３５  隙間
【図１】
0004048306.tif 000002
【図２】
0004048306.tif 000003
【図３】
0004048306.tif 000004
【図４】
0004048306.tif 000005
【図５】
0004048306.tif 000006